(57)【要約】      （修正有）【課題】従来、使用者が撮影終了時に直ぐにスタンバイモードにしたいと考えても、スタンバイモードの状態になるまでの一定時間、撮影装置を操作せずにそのまま放置する必要があり、使い勝手がよくない。【解決手段】デジタルカメラに設けられたシャッターボタンに対して素速く２回半押し操作する特定の操作入力が行われ、Ｓ２の判別が“ＹＥＳ”の場合、ＣＰＵにより、撮影動作に必要な箇所へＤＣ電源回路のチャンネルを介して電力供給する通常動作モードから常時動作が必要な箇所へを介して電力供給する低消費電力モードへ、Ｓ４で移行させられる。このため、使用者は、デジタルカメラ１を低消費電力モードへ移行させたい場合、シャッターボタン５に対する特定の操作入力を行うことにより、所望の任意のタイミングで移行させることができる。【選択図】図５
2011128266.tif 000002
【特許請求の範囲】
【請求項１】
操作系に対する特定の操作入力が行われた場合に、撮影動作に必要な箇所へ電力供給する通常動作モードから常時動作が必要な箇所へ電力供給する低消費電力モードへ移行させるモード制御部
を備える撮影装置。
【請求項２】
請求項１に記載の撮影装置において、
前記モード制御部は、外部からの特定の無線信号の受信を前記特定の操作入力として、前記通常動作モードから前記低消費電力モードへ移行させることを特徴とする撮影装置。
【請求項３】
請求項１または請求項２に記載の撮影装置において、
前記モード制御部は、撮影装置に設けられた所定の操作部に対して前記特定の操作入力が行われると、前記通常動作モードから前記低消費電力モードへ移行させることを特徴とする撮影装置。
【請求項４】
請求項１から請求項３のいずれか１項に記載の撮影装置において、
撮影が行われた直後に、前記モード制御部によって前記通常動作モードから前記低消費電力モードへ移行させるか否かを選択させる選択手段
を備えることを特徴とする撮影装置。
【発明の詳細な説明】
【技術分野】
【０００１】
本発明は、撮影動作に必要な箇所へ電力供給する通常動作モードから常時動作が必要な箇所へ電力供給する低消費電力モードへ移行させる撮影装置に関する。
【背景技術】
【０００２】
従来、この種の撮影装置としては、例えば、特許文献１に開示された電子カメラがある。この電子カメラは、通常の撮影を行う通常撮影モードと、消費電力を抑えるスタンバイモードとを切り替える制御部を備えている。制御部は、通常撮影モードで所定の時間以上ユーザから入力を受け付けない場合にスタンバイモードに切り替えるが、ユーザから操作入力を受け付けない場合に通常撮影モードを持続する時間と、スタンバイモードを持続する時間とは、ユーザが撮影状況に合わせて設定することが可能である。
【先行技術文献】
【特許文献】
【０００３】
【特許文献１】特開２００９−１４７５２３号公報
【発明の概要】
【発明が解決しようとする課題】
【０００４】
しかしながら、上記従来の撮影装置は、使用者が撮影終了時や撮影画像の構図確認後に直ぐにスタンバイモードにして、次の撮影時まで消費電力を抑えたいと考えても、スタンバイモードの状態になるまでの一定時間、撮影装置を操作せずにそのまま放置する必要があり、使い勝手がよくない。一方、スタンバイモードに移行する時間を短く設定すると、被写体を探しながら撮影する場合のように、同じリズムで定期的に撮影せずに不定期に撮影する際には、使用者の意図通りに撮影することができない。
【０００５】
また、上記従来の撮影装置は、撮影しようとする時に一定の時間以上ユーザが操作入力を行わないと、勝手にスタンバイモードに移行してしまうため、シャッターチャンスを逃してしまうこともある。また、消費電力を抑えるため、各撮影が終わる度に、スタンバイモードに移行させる代わりに電源をオフにすると、電源をオン・オフするたびにレンズ鏡筒のセットアップ動作が行われて、無駄な消費電力が発生する。
【課題を解決するための手段】
【０００６】
本発明はこのような課題を解決するためになされたもので、
操作系に対する特定の操作入力が行われた場合に、撮影動作に必要な箇所へ電力供給する通常動作モードから常時動作が必要な箇所へ電力供給する低消費電力モードへ移行させるモード制御部を備えて、撮影装置を構成した。
【０００７】
本構成によれば、操作系に対する特定の操作入力が行われた場合、モード制御部により、撮影動作に必要な箇所へ電力供給する通常動作モードから常時動作が必要な箇所へ電力供給する低消費電力モードへ移行させられる。このため、使用者は、撮影装置を通常動作モードから低消費電力モードへ移行させたい場合、操作系に対する特定の操作入力を行うことにより、従来の撮影装置のように、低消費電力モードになるまで一定時間撮影装置を操作せずにそのまま放置する必要もなく、所望の任意のタイミングで低消費電力モードに移行させることができる。このため、撮影装置の使い勝手が向上し、低消費電力モードを用いて撮影装置の消費電力を抑えながら、使用者の意図通りに撮影することが可能になる。また、撮影しようとする時に勝手に低消費電力モードに移行して、シャッターチャンスを逃してしまうこともなくなる。また、従来の、低消費電力モードへ移行させる代わりに電源をオン・オフすることにより行われるレンズ鏡筒のセットアップ動作により、無駄な消費電力が発生することもない。
【０００８】
また、本発明は、モード制御部が、外部からの特定の無線信号の受信を特定の操作入力として、通常動作モードから低消費電力モードへ移行させることを特徴とする。
【０００９】
本構成によれば、外部から特定の無線信号が撮影装置に受信されると、モード制御部により、通常動作モードから低消費電力モードへ移行させられる。このため、遠隔操作により通常動作モードから低消費電力モードへ移行させることができて、撮影装置の使い勝手がより向上する。
【００１０】
また、本発明は、モード制御部が、撮影装置に設けられた所定の操作部に対して特定の操作入力が行われると、通常動作モードから低消費電力モードへ移行させることを特徴とする。
【００１１】
本構成によれば、撮影装置に設けられた所定の操作部に対して例えばダブルクリックや長押し等の特定のパターンで操作入力が行われると、モード制御部により、通常動作モードから低消費電力モードへ移行させられる。このため、通常動作モードから低消費電力モードへ移行させたい場合、使用者は、撮影装置に設けられた所定の操作部に対して撮影装置を持ったまま特定の操作入力を行うことができるため、使い勝手よく低消費電力モードへ移行させることができる。
【００１２】
また、本発明は、撮影が行われた直後に、モード制御部によって通常動作モードから低消費電力モードへ移行させるか否かを選択させる選択手段を備えることを特徴とする。
【００１３】
本構成によれば、使用者は、撮影を行った直後に、選択手段により、モード制御部によって通常動作モードから低消費電力モードへ移行させるか否かを選択することができる。このため、撮影が行われた直後に、撮影装置によって自動的に低消費電力モードへの移行が確認されるため、撮影装置の使い勝手はより向上する。
【発明の効果】
【００１４】
本発明による撮影装置によれば、上記のように、所望の任意のタイミングで低消費電力モードに移行させることができるため、撮影装置の使い勝手が向上し、低消費電力モードを用いて撮影装置の消費電力を抑えながら、使用者の意図通りに撮影することが可能になる。
【図面の簡単な説明】
【００１５】
【図１】本発明の一実施の形態によるデジタルカメラの外観の概略を示す正面斜視図である。
【図２】図１に示すデジタルカメラの外観の概略を示す背面斜視図である。
【図３】図１に示すデジタルカメラの電気回路構成の概略を示すブロック図である。
【図４】図１に示すデジタルカメラの電源構成の概略を示すブロック図である。
【図５】図１に示すデジタルカメラのＣＰＵによって行われる、低消費電力モードへの移行制御処理の概略を示すフローチャートである。
【発明を実施するための形態】
【００１６】
次に、本発明による撮影装置をデジタルカメラに適用した場合における、本発明を実施するための一形態について説明する。
【００１７】
図１は、この一実施の形態によるデジタルカメラ１の外観の概略を示す正面斜視図である。
【００１８】
デジタルカメラ１は、カメラボディ２と、このカメラボディ２の前面に設けられた撮影用のレンズ３とから構成される。同図（ａ）に示すデジタルカメラ１はレンズ３が沈胴位置、同図（ｂ）に示すデジタルカメラ１はレンズ３が突出位置にある。カメラボディ２の正面から見て左側には、撮影時に撮影者によって握られるグリップ部４が設けられている。このグリップ部４の上面には、撮影用のシャッターボタン５が設けられている。このシャッターボタン５の右方のカメラボディ２の上面には、操作されるとデジタルカメラ１の内部の各回路に動作電源を供給させる電源ボタン６が設けられている。また、カメラボディ２の正面から見て右上側には、被写体が暗い場合に明るさを確保するためのフラッシュ７が備えられている。
【００１９】
図２は、デジタルカメラ１の外観の概略を示す背面斜視図である。なお、同図において図１と同一部分には同一符号を付してその説明は省略する。
【００２０】
カメラボディ２の背面にはモニタ１１が設けられている。モニタ１１は、ＴＦＴ（Thin Film Transistor）液晶などからなり、構図を確認するためのスルー画や、撮影情報などの各種情報を表示すると共に、撮影した画像を再生表示する。タッチパネル１２は、モニタ１１の表示面に配置されて、使用者が触れると所定の機能を実行させる。使用者によるモニタ１１に対するタッチ操作は、タッチパネル１２により検出される。
【００２１】
モニタ１１の右側には、ズームボタン１３および十字ボタン１４が配置されている。ズームボタン１３は、モニタ１１に表示される撮影画像を拡大、縮小表示させる際などに操作される。十字ボタン１４は、上下方向および左右方向といった操作方向を検出する方向キーからなり、デジタルカメラ１の各種設定を行うメニュー画面において、種々の設定項目の中から所望の設定項目を選択する際などに操作される。十字ボタン１４の中央には決定ボタン１５が設けられている。決定ボタン１５は、十字ボタン１４の操作によって選択された所望の設定項目を決定する際などに操作される。また、これらのボタンは、モニタ１１に表示されているメニュー画面などにおいて、モニタ１１のタッチパネル操作で代用することもできる。シャッターボタン５、電源ボタン６、タッチパネル１２、ズームボタン１３、十字ボタン１４、および決定ボタン１５等の操作系は、デジタルカメラ１に設けられた操作部を構成する。
【００２２】
図３は、デジタルカメラ１の電気回路構成の概略を示すブロック図である。
【００２３】
デジタルカメラ１は、ＣＰＵ（Central Processing Unit）２１、ＥＥＰＲＯＭ（Electrically Erasable Programmable Ｒead Ｏnly Ｍemory）などで構成される不揮発性メモリ２２、およびＲＡＭ（Random Access Memory）などで構成されるバッファメモリ２３を備えている。不揮発性メモリ２２には、ＣＰＵ２１が種々の制御を行う際に参照される制御プログラムなどが格納されている。ＣＰＵ２１は、不揮発性メモリ２２に格納されている制御プログラムに従い、バッファメモリ２３を一時記憶作業領域として回路各部の制御を行い、デジタルカメラ１の種々の装置機能を作動させる。
【００２４】
被写体からの光は、光学系を構成するレンズ３を介してデジタルカメラ１内に取り込まれる。なお、レンズ３は、ズームレンズやフォーカスレンズを含む複数のレンズ群で構成されており、同図では１枚のレンズとして図示されている。デジタルカメラ１内に取り込まれた被写体光は、レンズ３の光軸上に配置された撮像部２５の撮像面２５ａ上に被写体像を投影する。撮像面２５ａには受光素子が２次元配列されている。撮像部２５は、ＣＣＤ（Charge Coupled Device）やＣＭＯＳ（Complementary Metal Oxide Semiconductor）などからなり、撮像部２５の撮像面２５ａ上に結像した被写体像を撮像し、アナログの撮像信号に変換する。撮像信号は、ＡＦＥ（アナログフロントエンド）回路２６によりゲイン調整が行われ、デジタル信号に変換される。
【００２５】
画像処理部２７は、ＡＦＥ回路２６でデジタル信号に変換された撮像信号を取得し、取得した撮像信号に対して、色補間処理、輪郭強調処理、ホワイトバランス処理などの画像処理を行い、撮影された画像の画像データを生成する。画像処理部２７によって生成された画像データは、圧縮処理が施されてバス２８を介してバッファメモリ２３に一時格納されると共に、モニタ１１にスルー画として表示される。また、モニタ１１の表示領域に対して行われるタッチ操作は、ＣＰＵ２１に接続されたタッチパネル１２によって検出される。タッチ操作が検出されると、タッチパネル１２からタッチ操作検出信号が出力され、タッチ操作により入力される情報がＣＰＵ２１に送出される。
【００２６】
ＣＰＵ２１にはシャッターボタン５、電源ボタン６、および鏡筒駆動部３１が接続されている。シャッターボタン５は、半押しされるとオートフォーカス機能を作動させ、鏡筒駆動部３１によりレンズ３を移動させて焦点距離を自動調整し、全押しされると予め設定されたシャッター速度で図示しないシャッターを開かせ、被写体像を撮像部２５の撮像面２５ａに所定時間露光させて、被写体の撮影を行わせる。撮影された画像データは、記録Ｉ／Ｆ部２９を介して、図示しないスロットに着脱される、記憶媒体を構成するメモリカード３０に記録される。また、電源ボタン６が操作されると、ＣＰＵ２１によって、ＤＣ電源回路３３が制御されて、撮像部２５の撮像動作に必要な各電気回路に電池３２の電力が供給される。
【００２７】
図４は、デジタルカメラ１の電源構成の概略を示すブロック図である。なお、同図において図３と同一部分には同一符号を付してその説明は省略する。
【００２８】
ＣＰＵ２１は、非バックアップ部２１ａとバックアップ部２１ｂとから成り、バックアップ部２１ｂには、ボタン電池などのバックアップ電源４１から電力が常に供給されている。バックアップ部２１ｂはこの電力供給を受けて常に動作しており、電源ボタン６が押されたか否かなどを常に監視している。
【００２９】
電源ボタン６が押されると、バックアップ部２１ｂは、ＤＣ電源回路３３のＥＮ１、ＥＮ２端子にイネーブル信号を送信する。この信号送信により、ＤＣ電源回路３３の各チャンネルＣＨ１、ＣＨ２、ＣＨ３、ＣＨ４、ＣＨ５、およびＣＨ６を介して、ＣＰＵ２１の非バックアップ部２１ａ、メモリ４２、デジタルＩ/Ｆ４３、撮像系４４、鏡筒駆動系４５、およびＬＣＤバックライト４６といった撮影動作に必要な箇所へ電池３２の電力が供給され、通常動作モードになってデジタルカメラ１の撮影機能が作動する。メモリ４２は、不揮発性メモリ２２や、バッファメモリ２３、メモリカード３０などを表している。デジタルＩ/Ｆ４３は、記録Ｉ／Ｆ部２９や、タッチパネル２０のＩ／Ｆ部などを表している。撮像系４４は、撮像部２５、ＡＦＥ回路２６、画像処理部２７などを表している。また、鏡筒駆動系４５は、鏡筒駆動部３１などを表している。ＬＣＤバックライト４６はモニタ１１の背面に設けられてモニタ１１を照明する光源である。チャンネルＣＨ３を介してタッチパネル２０のＩ／Ｆ部に電力が供給されると、タッチパネル２０に対するタッチ操作が検出されるようになる。また、各チャンネルＣＨ４、ＣＨ５、ＣＨ６を介して電力が供給されると、鏡筒駆動部３１によりレンズ３が沈胴位置から所定の突出位置へ駆動され、また、モニタ１１が点灯して、デジタルカメラ１を用いた撮影が可能となる。
【００３０】
一方、デジタルカメラ１に電力が供給され、デジタルカメラ１を用いた撮影が可能となった後において、操作系に対する特定の操作入力、本実施形態では、シャッターボタン５を素速く２回半押しする操作入力が行われた場合に、デジタルカメラ１は通常動作モードから低消費電力モード（スリープ状態）になる。シャッターボタン５は、デジタルカメラ１に設けられた所定の操作部を構成する。このスリープ状態になる際、ＣＰＵ２１は、チャンネルＣＨ１、ＣＨ２、ＣＨ３を介して常時動作が必要なＣＰＵ２１の非バックアップ部２１ａ、メモリ４２、デジタルＩ/Ｆ４３へ電力供給を継続させながら、ＤＣ電源回路３３のＥＮ２端子にディスイネーブル信号を送信する。この信号送信により、ＤＣ電源回路３３の各チャンネルＣＨ４、ＣＨ５、ＣＨ６が閉じて、撮像系４４、鏡筒駆動系４５、ＬＣＤバックライト４６への電池３２の電力供給が停止される。撮像系４４への電池３２の電力供給が停止されると、デジタルカメラ１の撮影機能が停止する。鏡筒駆動系４５への電池３２の電力供給が停止されると、レンズ３が突出位置のままレンズ３の鏡筒駆動部３１によるズーム等の機能が停止する。また、ＬＣＤバックライト４６への電池３２の電力供給が停止されると、モニタ１１が消灯する。ＣＰＵ２１は、操作系に対する特定の操作入力が行われた場合に、撮影動作に必要な箇所へ電力供給する通常動作モードから、常時動作が必要な箇所へ電力供給する低消費電力モードへ移行させるモード制御部を構成する。本実施形態では、シャッターボタン５に対して上記の特定の操作入力が行われて、低消費電力モードに移行する際、実際に低消費電力モードを実行させるか否かを使用者に選択させる確認画面がＣＰＵ２１の制御によってモニタ１１に表示される。モニタ１１は、モード制御部によって通常動作モードから低消費電力モードへ移行させるか否かを選択させる選択手段を構成する。
【００３１】
図５は、デジタルカメラ１のＣＰＵ２１によって行われる、低消費電力モードへの移行制御処理の概略を示すフローチャートである。
【００３２】
同図に示すフローチャートにおいて、ＣＰＵ２１は、ステップ（以下、Ｓと記す）１において、電源ボタン６が押されると、ＤＣ電源回路３３を制御して電池３２の電力を各チャンネルＣＨ１〜ＣＨ６を介して供給し、デジタルカメラ１を通常動作モードにする。次に、ＣＰＵ２１は、Ｓ２において、シャッターボタン５が素速く２回半押しされる特定の操作入力があったか否かを判別する。特定の操作入力がなく、Ｓ２の判別が“ＮＯ”の場合、ＣＰＵ２１は、特定の操作入力があるまで待機状態となる。一方、デジタルカメラ１の電源起動後に例えば使用者が構図を確認したり、露出を調整するなどの行為を行った後、シャッターボタン５の半押し操作を素速く２回行って、Ｓ２の判別が“ＹＥＳ”になると、ＣＰＵ２１は、Ｓ３において、モニタ１１の画面上に「カメラをスリープ状態にしますか」という確認メッセージを表示して、デジタルカメラ１をスリープ状態にする否かを判別する。次に、使用者が上記確認画面でデジタルカメラ１をスリープ状態にしない選択をし、Ｓ３の判別が“ＮＯ”の場合、ＣＰＵ２１は、Ｓ２の処理に戻る。一方、使用者が上記確認画面でデジタルカメラ１をスリープ状態にする選択をして、Ｓ３の判別が“ＹＥＳ”の場合、ＣＰＵ２１は、Ｓ４において、デジタルカメラ１をスリープ状態に遷移させる。このスリープ状態では、ＤＣ電源回路３３の各チャンネルＣＨ４、ＣＨ５、ＣＨ６が閉じられ、常時動作が必要でない箇所への電力供給が停止されることで、電池３２の電力消費が抑制され、上述したように、モニタ１１が消灯し、デジタルカメラ１の撮影機能やレンズ３のズーム機能等が停止する。また、レンズ３の位置は突出位置のままになる。
【００３３】
次に、ＣＰＵ２１は、Ｓ５において、シャッターボタン５や電源ボタン６等の予め定められた特定のボタンが操作されたか否かを判別する。特定のボタンが操作されず、Ｓ５の判別が“ＮＯ”の場合、Ｓ４の処理に戻る。一方、使用者が、電源ボタン６を押したり、シャッターボタン５を半押ししたりする等のボタン操作を行うことにより、Ｓ５の判別が“ＹＥＳ”になり、ＣＰＵ２１は、Ｓ６において、スリープ状態から通常動作モードへ移行する復帰処理を行う。この復帰処理では、ＤＣ電源回路３３の各チャンネルＣＨ４、ＣＨ５、ＣＨ６から電池３２の電力が供給されることで、モニタ１１が点灯し、デジタルカメラ１の撮影機能やレンズ３のズーム機能等が回復し、通常の撮影が可能になる。
【００３４】
このような本実施形態によるデジタルカメラ１によれば、デジタルカメラ１に設けられたシャッターボタン５に対して素速く２回半押し操作する特定の操作入力が行われ、図５、Ｓ２の判別が“ＹＥＳ”の場合、ＣＰＵ２１により、撮影動作に必要な箇所へＤＣ電源回路３３のチャンネルＣＨ１〜ＣＨ６から電力供給する通常動作モードから、常時動作が必要な箇所へＤＣ電源回路３３のチャンネルＣＨ１〜ＣＨ３から電力供給する低消費電力モードへ、Ｓ４で移行させられる。このため、使用者は、デジタルカメラ１を通常動作モードから低消費電力モードへ移行させたい場合、シャッターボタン５に対する特定の操作入力を行うことにより、従来のデジタルカメラのように、低消費電力モードになるまで一定時間デジタルカメラ１を操作せずにそのまま放置する必要もなく、所望の任意のタイミングで低消費電力モードに移行させることができる。このため、デジタルカメラ１の使い勝手が向上し、低消費電力モードを用いてデジタルカメラ１の消費電力を抑えながら、使用者の意図通りに撮影することが可能になる。また、撮影しようとする時に勝手に低消費電力モードに移行して、シャッターチャンスを逃してしまうこともなくなる。また、従来の、低消費電力モードへ移行させる代わりに電源をオン・オフすることにより行われるレンズ３のセットアップ動作により、無駄な消費電力が発生することもない。
【００３５】
また、本実施形態では、デジタルカメラ１に設けられたシャッターボタン５に対して素速く２回半押し操作する特定の操作入力が行われ、Ｓ２の判別が“ＹＥＳ”の場合に、ＣＰＵ２１により、通常動作モードから低消費電力モードへ移行させられる。このため、通常動作モードから低消費電力モードへ移行させたい場合、使用者は、デジタルカメラ１に設けられたシャッターボタン５に対してデジタルカメラ１を持ったまま素速く２回半押し操作する特定の操作入力を行うことができるため、使い勝手よく低消費電力モードへ移行させることができる。
【００３６】
なお、本実施形態では、デジタルカメラ１に設けられた所定の操作部に対する特定の操作入力を、シャッターボタン５に対する素速い２回の半押し操作入力とした構成であったが、所定の操作部に対する特定の操作入力は、この操作入力に限らない。所定の操作部に対する特定の操作入力は、例えば、シャッターボタン５の半押し操作を３回や４回等の所定の回数行う操作入力とする構成でもよい。また、電源ボタン６や十字ボタン１４、決定ボタン１５等の操作部をダブルクリックや長押しする操作入力とする構成でもよい。また、スリープ専用のボタンを押す操作入力とする構成でもよい。また、タッチパネル１２上で指を動かして、特定の軌道、例えば星形や直線を入力する操作入力とする構成でもよい。
【００３７】
また、本実施形態では、特定の操作入力がデジタルカメラ１に設けられた所定の操作部に対して行われる構成であったが、外部からの特定の無線信号の受信を特定の操作入力とする構成であってもよい。この場合、ＣＰＵ２１は、外部からの特定の無線信号の受信を特定の操作入力として、通常動作モードから低消費電力モードへ移行させるモード制御部を構成する。この構成によれば、リモコン等の外部から特定の無線信号がデジタルカメラ１に受信されると、ＣＰＵ２１により、通常動作モードから低消費電力モードへ移行させられる。このため、遠隔操作により通常動作モードから低消費電力モードへ移行させることができて、使い勝手がより向上する。
【００３８】
また、本実施形態では、デジタルカメラ１に設けられた所定の操作部に対して特定の操作入力が行われると、図５、Ｓ３で、デジタルカメラ１をスリープ状態にする否かの確認画面をモニタ１１に表示する構成であったが、デジタルカメラ１をスリープ状態にする否かの確認画面をモニタ１１に表示するタイミングは、操作系に対して特定の操作入力が行われた直後に限らない。例えば、撮影が行われた直後に、選択手段を構成するモニタ１１が、モード制御部を構成するＣＰＵ２１によって通常動作モードから低消費電力モードへ移行させるか否かを選択させる構成であってもよい。この構成によれば、使用者は、撮影を行った直後に、モニタ１１により、通常動作モードから低消費電力モードへ移行させるか否かを選択することができる。このため、撮影が行われた直後に、デジタルカメラ１によって自動的に低消費電力モードへの移行が確認されるため、デジタルカメラ１の使い勝手はより向上する。
【００３９】
また、デジタルカメラ１をスリープ状態にする否かの確認画面をモニタ１１に表示するタイミングは、基本セットアップを設定するメニュー画面で基本設定を確定させた直後に、上記確認画面をモニタ１１に表示する構成であってもよい。また、電源スイッチ６をオンまたはオフする時に、上記確認画面をモニタ１１に表示する構成であってもよい。また、シャッターボタン５を押して撮影が行われた後の、撮影画像の確認画像表示時に、上記確認画面をモニタ１１に表示する構成であってもよい。
【００４０】
また、本実施形態および上記の各変形例では、モニタ１１が、モード制御部によって通常動作モードから低消費電力モードへ移行させるか否かを選択させる選択手段を構成していたが、選択手段はモニタ１１に限らず、例えば、スピーカからの音声の出音により、使用者に、通常動作モードから低消費電力モードへ移行させるか否かを選択させる構成であってもよい。また、デジタルカメラ１をスリープ状態にする否かの確認を上記のようにすることにより、デジタルカメラ１が不用意にスリープ状態になることを防ぐことができ、また、故障と間違われることもなくなるが、デジタルカメラ１をスリープ状態にする否かの確認は必ずしも必要ではなく、この確認を行わない構成であってもよい。
【００４１】
また、本実施形態では、低消費電力モードにおいて、モニタ１１が消灯し、デジタルカメラ１の撮影機能やレンズ３のズーム機能等が停止し、レンズ３が突出位置のままの状態になる場合について説明したが、低消費電力モードは、上記の状態に限らず、適宜設定することができる。例えば、低消費電力モードにおいて、モニタ１１が点灯し、レンズ３が沈胴位置に移動したり、また、フラッシュ７のチャージ機能が停止するようにてもよい。
【産業上の利用可能性】
【００４２】
上記実施形態においては、本発明の撮影装置をデジタルカメラに適用した場合について説明したが、ビデオカメラや、携帯電話機等に内蔵されるカメラ等のその他の撮影装置にも適用することが可能である。このような撮影装置に本発明を適用した場合においても、上記実施形態と同様な作用効果が奏される。
【符号の説明】
【００４３】
３…レンズ
５…シャッターボタン
６…電源ボタン
１３…ズームボタン
１４…十字ボタン
１５…決定ボタン
１１…モニタ
１２…タッチパネル
２１…ＣＰＵ
２５…撮像部
３１…鏡筒駆動部
【図１】
2011128266.tif 000003
【図２】
2011128266.tif 000004
【図３】
2011128266.tif 000005
【図４】
2011128266.tif 000006
【図５】
2011128266.tif 000007